(57)【要約】      （修正有）【課題】実際には乗りかごに乗る乗客がいないにも関わらず、エレベーターはその判断がつかないため、常に呼びの登録された乗り場に乗りかごを移動させるため、無駄な運転による電力の消費と、本来、目的階に移動したい乗客の待ち時間が長くなるという問題があった。運転効率を低下させない自動呼び登録システムを提供する。【解決手段】乗り場１ａ、１ｂ、１ｃ、にて呼びが登録されたにも関わらず、乗りかご４内運転操作盤３の行き先選択釦が押されない場合の、乗り場、時間帯、呼び方向、を学習し、その頻度の高い条件の呼び登録方法を通常と変更する。【選択図】図１
2007055716.tif 000002
【特許請求の範囲】
【請求項１】
複数階の乗り場と、各乗り場に設けたエレベーター呼び登録釦と、乗りかご内の運転操作盤内に設けた行き先階選択釦とを備えたエレベーターの自動呼び登録システムにおいて、乗り場にて呼び釦が登録されたにも関わらず、乗りかご内の運転操作盤の行き先階選択釦が押されない場合の、乗り場、時間帯、呼び方向、を学習し、その頻度の高い条件の呼び登録方法を通常と変更することを特徴としたエレベーターの自動呼び登録システム。
【請求項２】
請求項１に記載のエレベーターの自動呼び登録システムにおいて、変更する呼び登録方法を、乗り場に設けた呼び登録釦の２度押しにより呼び登録を完了する方法としたことを特徴としたエレベーターの自動呼び登録システム。
【請求項３】
請求項１に記載のエレベーターの自動呼び登録システムにおいて、変更する呼び登録方法を、乗り場に設けた登録釦を通常より長い間押しつづけることにより呼び登録を完了する方法としたことを特徴としたエレベーターの自動呼び登録システム。
【発明の詳細な説明】
【技術分野】
【０００１】
本発明は、エレベーターの自動呼び登録システムに関するものである。
【背景技術】
【０００２】
エレベーターは、エレベーター乗り場に設置されたエレベーター呼び登録釦により、上り方向、下り方向の呼びを登録し、この呼び登録釦によって乗りかごを呼び寄せる。そして、呼びを登録された階に到着した乗りかごはドアを開き、乗りかごに乗り込んだ乗客は、エレベーター運転操作盤に設置された行き先階選択釦の登録を行うことにより、目的階まで乗りかごにて移動する。
【０００３】
しかし、エレベーター乗り場から呼びを登録したにも関わらず、乗りかごの到着が非常に遅い場合などは、利用者は階段などを利用して目的階に移動してしまい、実際にエレベーター乗りかごが到着したときには乗客は誰もいない場合があり、無駄な運転をしてしまうことが有る。
【０００４】
また、実際にはエレベーターに乗る意思が無いにも関わらず、エレベーター乗り場の、呼び登録釦によりエレベーター呼びを登録し、そのまま立ち去るイタズラ呼び等の場合も、エレベーターは呼びが登録された乗り場まで乗りかごを移動し、ドアを開けて乗客が乗り込むのを待つことになる。（特許文献１および２参照。）。
【特許文献１】特開平４−２９８４６５号公報
【特許文献２】特開昭６１−２５４４７５号公報
【発明の開示】
【発明が解決しようとする課題】
【０００５】
このように、実際には乗りかごに乗る乗客がいないにも関わらず、エレベーターはその判断がつかないため、常に呼びの登録された乗り場に乗りかごを移動させるため、無駄な運転による電力の消費と、本来、目的階に移動したい乗客の待ち時間が長くなると言う問題があった。
【０００６】
本発明は、上記問題点に鑑みてなされたもので、その目的は、エレベーターの運転効率を低下させないエレベーターの自動呼び登録システムを提供することにある。
【課題を解決するための手段】
【０００７】
この発明に係るエレベーターの自動呼び登録システムは、乗り場にて呼びが登録されたにも関わらず、乗りかご内運転操作盤の行き先選択釦が押されない場合の、乗り場、時間帯、呼び方向、を学習し、その頻度の高い条件の呼び登録方法を通常と変更することを特徴としたものである。
【発明の効果】
【０００８】
本発明によれば、イタズラ呼びなどによるエレベーターの無駄運転を防止でき、電力消費量の低減や、エレベーター待ち時間の縮小など、エレベーターの運転効率を低下させないという効果がある。
【発明を実施するための最良の形態】
【０００９】
以下、図面を参照して本発明の実施の形態について詳細に説明する。
【００１０】
図１は、本発明の実施の形態に係るエレベーターの自動呼び登録システムの構成図である。図１において、１ａ〜１ｃは各階の乗り場、２ａ〜２ｃは各階の乗り場１ａ〜１ｃに設けられた呼び登録釦、３はエレベーター乗りかご内の運転操作盤、４は乗りかご、５はエレベーターの制御盤である。
【００１１】
図２は、各階に設けられる呼び登録釦を示し、６は呼び登録釦２ａ〜２ｃに設けられる上方向呼び登録釦、７は呼び登録釦２ａ〜２ｃに設けられる下方向呼び登録釦を示す。
【００１２】
図３は、運転操作盤３を示し、８は運転操作盤３に設けられた行き先階選択釦である。
【００１３】
図４は、本実施の形態における動作を示したフローチャートである。以下、図４のフローチャートに沿って説明する。図４において、ステップ１では乗り場１ａ〜１ｃに設置される呼び登録釦２ａ〜２ｃにて呼び登録の有無を検出している。呼び検出が無い場合はステップ１を繰り返す。呼び登録を検出した場合は、ステップ２に進み、呼びが登録された乗り場へ乗りかごを移動させる。乗りかごが呼び登録された乗り場に到着した場合、ステップ３に進み、乗りかごのドアを開き乗客の搭乗を待つ。次に、ステップ４に進み、行き先階選択釦にて行き先階が登録されたかを検出する。行き先階が登録された場合は、ステップ５に進み、以後、ステップ１からステップ５を繰り返す。ここで、ステップ４にて行き先階が登録されずに所定の時間が経過した場合、ステップ６に進み、その乗り場情報、時間、呼び方向をエレベーター制御盤内に具備する図示しないメモリに記録する。次に、ステップ７に進み、同じ条件にてこのような呼び登録後に行き先階選択が行われない状態が発生していないかを判定する。同一条件にてこのような呼び登録後に行き先階選択が行われない状態が発生していない場合は、ステップ１に戻り、以後、ステップ１からステップ５を繰り返す。しかし、ステップ７にて、同一条件にて呼び登録後に行き先階選択が行われない状態が発生していることを検出した場合、ステップ８に進み、該当する乗り場の呼び登録釦のみ、呼び登録方法を変更する。例えば、呼び登録後に行き先階選択釦にて行き先階が登録されない条件が頻繁に発生する乗り場においては、乗り場呼び登録釦を短時間のうちに２度押さなければ呼びが登録されないように変更する。また、他の例として、呼び登録後に行き先階選択釦にて行き先階が登録されない条件が頻繁に発生する乗り場においては、乗り場呼び登録釦を通常より長い時間、例えば３秒以上押しつづけないと呼びが登録されないように変更する。
【００１４】
以上のように、本実施の形態に係るエレベーターの自動呼び登録システムにおいては、乗り場にて呼びが登録されたにも関わらず、乗りかご内運転操作盤の行き先階選択釦が押されない場合の、乗り場、時間帯、呼び方向、を学習し、その頻度の高い条件の呼び登録方法を通常と変更することにより、イタズラ呼びなどによるエレベーターの無駄運転を防止でき、電力消費量の低減や、エレベーター待ち時間の縮小など、エレベーターの運転効率を低下させないという効果がある。
【図面の簡単な説明】
【００１５】
【図１】本発明の一実施形態の構成を示す図である。
【図２】図１に示す乗り場呼び登録釦を示す図である。
【図３】図１に示す運転操作盤内の行き先階選択釦を示す図である。
【図４】本発明の一実施形態を示すフローチャートである。
【符号の説明】
【００１６】
１ａ    乗り場ａ
１ｂ    乗り場ｂ
１ｃ    乗り場ｃ
２ａ    呼び登録釦ａ
２ｂ    呼び登録釦ｂ
２ｃ    呼び登録釦ｃ
３      運転操作盤
４      乗りかご
５      エレベーター制御盤
６      上方向呼び登録釦
７      下方向呼び登録釦
８      行き先階選択釦
【図１】
2007055716.tif 000003
【図２】
2007055716.tif 000004
【図３】
2007055716.tif 000005
【図４】
2007055716.tif 000006